(57)【要約】      （修正有）【課題】滑車枠側板間の開放空間を閉じるカバー部材の取り外し、取り付け作業を容易にするクレーン等作業機のフックブロックを提供する。【解決手段】滑車枠側板２ａ，２ｂの間に滑車３およびフック４を軸支し、滑車３のワイヤーロープ巻き掛け部周囲に複数本のワイヤーロープ外れ止め部材６ａ〜６ｃを設ける一方、滑車枠側板２ａ，２ｂ間の正面側先端部分に滑車枠側板間の開放空間を閉じるカバー部材７を設けてなるクレーン等作業機のフックブロックにおいて、カバー部材７をワイヤーロープ外れ止め部材６ａ〜６ｃを取り付ける取付手段の一部を利用して取り付けるようにすることにより、カバー部材７の取り付け用ボルトの必要本数を減らすか、または取り付け用ボルト自体を不要として部品点数を削減するとともに、ワイヤーロープ掛け替え時などのカバー部材７の取り外し、取り付け作業を容易にした。【選択図】図２
2014189402.tif 000002
【特許請求の範囲】
【請求項１】
滑車枠側板の間に滑車およびフックを軸支するとともに、該滑車枠側板の間に軸支された滑車のワイヤーロープ巻き掛け部周囲の滑車枠側板間に位置して複数本のワイヤーロープ外れ止め部材を設ける一方、上記滑車枠側板間の正面側先端部分に上記滑車枠側板間の開放空間を閉じるカバー部材を設けてなるクレーン等のフックブロックであって、上記カバー部材を、上記ワイヤーロープ外れ止め部材取付手段の一部を利用して取り付けたことを特徴とするクレーン等作業機のフックブロック。
【請求項２】
ワイヤーロープ外れ止め部材は、滑車枠側板間に支持されるパイプ構造のスペーサ部材と、該パイプ構造のスペーサ部材を挿通支持するボルト部材よりなり、該ボルト部材がワイヤーロープ外れ止め部材取り付け手段として機能するようになっている一方、カバー部材の取り付けに利用されるボルト部材により挿通支持されるスペーサ部材は、カバー部材側に固定されていることを特徴とする請求項１記載のクレーン等作業機のフックブロック。
【発明の詳細な説明】
【技術分野】
【０００１】
この出願の発明は、クレーン等作業機のフックブロックの構造に関するものである。
【背景技術】
【０００２】
クレーン等の作業機では、一般に吊り荷作業のためのフックブロックが設けられている。このようなフックブロックは、滑車枠と、該滑車枠の上部部分に支持された滑車と、上記滑車枠の下部部分に支持されたフックとからなっている。滑車枠は、左右一対の側板よりなり、それら側板間の上部側に滑車の回転軸を連結し、該回転軸を介して側板間に複数のシーブを回転可能に並設支持する一方、それら側板間の下端側にフック取り付け軸を介してフックが取り付けられている。
【０００３】
滑車部の複数のシーブの所定のものには、ワイヤーロープが巻き掛けられているとともに、それら各シーブの半径方向外周側所定の近接位置には、張力が低下したときにも、それら各シーブのロープ係合溝部分からワイヤーロープが外れないようにするためのワイヤーロープ外れ止め部材が設けられている。
【０００４】
このワイヤーロープ外れ止め部材は、例えば、一方の側板側から他方の側板側に挿通されて、その軸体部分を側板間に係止される取付用のボルト部材と、該ボルト部材の軸体部外周に遊嵌状態で嵌合されて上記ボルト部材の挿通状態では上記側板間に回転可能に支持されるパイプ構造のスペーサ部材とからなり、上記ボルト部材の軸体部を支軸として回転可能な上記スペーサ部材部分で上記ワイヤーロープをガイドするようになっている。
【０００５】
このため、上記ワイヤーロープ外れ止め部材は、例えば上記滑車のワイヤーロープ巻き掛け部に対応して、前部と後部および下部の３ヶ所に位置して設けられている（例えば特許文献１の第1図の構成を参照）。
【０００６】
一方、クレーン等の作業機の中には、上記のようなフックブロックを備えたブームの先端に継ぎ足しジブを備えたものがある。このようなクレーン等においては、当該ブーム先端の左右に継ぎ足しジブ連結用の支軸を有し、同支軸に対して、継ぎ足しジブ基端側のＵ状の脚部を枢着することによって継ぎ足しジブを連結し、当該ブームの先端から長手方向にジブが延びる使用位置と同ジブが当該ブームに沿った状態となる折り畳み位置（格納位置）との間で上記支軸を中心として回動できるように構成されており、上記継ぎ足しジブ基端側のＵ状の脚部間には、上記継ぎ足しジブの使用位置と折り畳み位置との間での回動に際し、その左右両脚部の間を上述のフックブロックが通過（脚部間から出て、脚部間に戻ることが）できるだけのフックブロック通過空間を確保している（例えば、特許文献２の構成を参照）。
【０００７】
そして、フックブロックは、上記継ぎ足しジブの使用時（ジブ振り出し〜ジブ起し時）または折り畳み時（ジブ格納〜Ｕ状の両脚部間へのフックブロックの収納時）のいずれの場合にも、同フックブロック通過空間を通ることになる。  
しかし、複数のシーブを並設した滑車部にワイヤーロープが巻き掛けられた場合、フックブロックは水平方向左右（通常右側）に少し傾くことになり、上記継ぎ足しジブ基端側のＵ状の両脚部に対して完全に平行な形で対応させることはできず、上記フックブロック通過空間をスムーズに出入させることが難しくなる。例えば、継ぎ足しジブ基端側の両脚部間にフックブロックが収納されている折り畳み状態（格納状態）から継ぎ足しジブが振り出される使用時には問題ないとしても、同使用状態から、上記継ぎ足しジブが折り畳まれて両脚部間に収納される格納時に特に問題となる。
【０００８】
すなわち、上述のようなフックブロックでは、隣り合う２枚の滑車枠側板間に滑車部およびフック部が左右に延びる支軸により軸支されていて、その正面側が完全に開放されていることから、継ぎ足しジブが折り畳まれる格納時において、継ぎ足しジブ基端側のＵ状の両脚部が当該フックブロックの正面側に対向することになり、しかも、同状態においてフックブロックが水平方向右側に少し傾いていて、接近してくる継ぎ足しジブ基端側の両脚部と平行に対応していないとなると、一方側滑車枠側板（右側滑車枠側板）の先端部分が当該継ぎ足しジブの対応する脚部部分に引っ掛かる可能性がある。
【０００９】
また、継ぎ足しジブの脚部外側には所定の隙間を置いてテンションロッドが設けられているので、該テンションロッドと継ぎ足しジブ脚部との間の隙間に同滑車枠側板２ａ、２ｂが挟まる可能性もある。
【００１０】
そこで、同問題を解決するために、例えば図9〜図１１に示すように、滑車枠２の側板２ａ、２ｂ間に複数本のワイヤーロープ外れ止め部材６ａ〜６ｃを設け、同ワイヤーロープ外れ止め部材６ａ〜６ｃを滑車部３のワイヤーロープ５巻き掛け部の周囲に位置して配置することにより、ワイヤーロープ５の外れ止め機能を持たせたクレーン等作業機のフックブロック１において、同滑車枠側板２ａ、２ｂ間の正面側先端部に当該滑車枠側板２ａ、２ｂ間の開放面を閉じるカバー部材７を専用の取り付けボルト８ａ〜８ｄを用いて取り付けることにより、上記のような継ぎ足しジブ格納時において、同継ぎ足しジブ基端側のＵ状の脚部が、フックブロック１の両側を通過する時に当該フックブロック１の滑車枠側板２ａ、２ｂの先端と干渉しても、該カバー部材７によりガイドされて、上述のような問題を生じさせるようなことなく、継ぎ足しジブ基端側のＵ状の脚部がフックブロック１の外側をスムーズに通過できるようにしたものがある。
【００１１】
今例えば、図9〜図１１において、フックブロック１は、滑車枠２と、該滑車枠２の上部部分に支持された滑車３と、上記滑車枠２の下部部分に支持されたフック４とからなっている。滑車枠２は、上下方向に長く形成された略六角形状の左右一対の側板２ａ，２ｂよりなり、それら側板２ａ，２ｂ間の上部側部分に滑車３の回転軸３１を連結し、該回転軸３１を介して側板２ａ、２ｂ間に複数のシーブ３２ａ〜３２ｄを回転可能に並設支持している一方、それら側板２ａ、２ｂ間の下端側にフック取り付け軸４１ａを有するベアリング４１を介してフック４が前後および水平方向に回転可能な状態で取り付けられている。
【００１２】
滑車枠２の側板２ａ、２ｂは、上述のように、縦長の六角形状をなしているが、その上部側２辺と下部側２辺との間の角部は上下方向に所定長さカットされて扁平面２１ａ、２１ｂに形成されている。
【００１３】
一方、上記滑車３の複数のシーブ３２ａ〜３２ｄの所定のものには、ワイヤーロープ５が所望の掛け数分巻き掛けられているとともに、それら各シーブ３２ａ〜３２ｄの外周側所定位置には、張力が低下したときに、それら各シーブ３２ａ〜３２ｄのロープ係合溝部分からワイヤーロープ５が外れないようにガイドする３本のワイヤーロープ外れ止め部材６ａ〜６ｃが設けられている。
【００１４】
これら３本のワイヤーロープ外れ止め部材６ａ〜６ｃは、それぞれ一方の側板２ａ側に設けられた螺合孔から他方の側板２ｂ側に設けられた孔部に挿通されて、その軸体部分を側板２ａ、２ｂ間に係止されるボルト部材６１と、該ボルト部材６１の軸体部外周に遊嵌状態で嵌合されて上記ボルト部材６１の挿通状態では上記側板２ａ，２ｂ間に回転可能に支持されるパイプ構造のスペーサ部材６２とからなり、上記ボルト部材６１の軸体部を支軸として回転可能な上記スペーサ部材６２部分で上記ワイヤーロープ５が上記ワイヤーロープ巻き掛け部から外れないようにガイドしている。
【００１５】
一方、符号7が、上述した継ぎ足しジブの基端側脚部等との干渉を回避するためのカバー部材であり、例えば図１１のように、上記側板２ａ、２ｂ正面側の扁平面２１ａ、２１ｂ下部の長辺部上部の端面と同一面を構成する幅広の本体部と、同本体部の左右両側に位置して直角に折り曲げられ、所定の奥行き幅を有して上下方向に長く延び、かつ上下両端部分に側板２ａ、２ｂへの取付用のボルト挿通孔７４ａ，７４ｂ、７４ｃ，７４ｄを設けた取付用フランジ７３ａ、７３ｂとを備えて構成されている。
【００１６】
そして、該カバー部材７は、図９および図１０に示されるように、上記幅広の本体部が左右一対の側板２ａ、２ｂの上記長辺部上部の正面側端面と連続する同一の平面を形成するように、ボルト８ａ，８ｂ、８ｃ，８ｄにより側板２ａ、２ｂの内側に螺合して取り付けられている。
【００１７】
同取り付け状態では、最も先端側である滑車枠側板２ａ、２ｂの扁平面２１ａ、２１ｂ下端側の上記長辺部との角部間開放面が上記カバー部材７の幅広の本体部平面で同一平面にカバーされることになり、フックブロック１は上述した継ぎ足しジブ基端側の脚部やテンションロッド部分と干渉しても、その側板２ａ，２ｂ部分が継ぎ足しジブの脚部に引っ掛かったり、テンションロッドとジブ脚部との間の隙間に挟まるようなことなく、スライド状態でスムーズに通過するようになる。
【先行技術文献】
【特許文献】
【００１８】
【特許文献１】実開昭６０−６４９９４
【特許文献２】実開平４−１３３６８４
【発明の概要】
【発明が解決しようとする課題】
【００１９】
しかし、上記図９〜図１１に示した従来例の場合、滑車枠側板２ａ、２ｂ間に支持されるワイヤーロープ外れ止め部材６ａ〜６ｃ取付用の複数本のボルト部材６１、６１、６１（３本）に加え、滑車枠側板２ａ、２ｂ間正面側の開放面を閉じるカバー部材７が専用の取り付けボルト８ａ，８ｂ、８ｃ，８ｄ（両端側各２本／合計４本）で取り付けられており、合計７本のボルト部材が使用されており、非常に部品点数が多い。しかも、上述のように、カバー部材７は、継ぎ足しジブ基端側の脚部等との干渉をガイドし、スムーズな相対移動（潜り抜け）を可能とするものであるために、その外周面には突部がない方が好ましい。そのために、折り曲げ加工等によって、カバー部材７の本体部左右両端側に滑車枠側板２ａ、２ｂの内周面に沿う大きな取付用のフランジ７３ａ、７３ｂを形成し、同フランジ７３ａ、７３ｂ部分を内側から各々２本の取り付け専用ボルト８ａ，８ｂ、８ｃ，８ｄで滑車枠２の側板２ａ、２ｂの螺合孔部分に螺合して取り付ける構成が採用されている。
【００２０】
したがって、このような構成の場合、まず製造工程におけるフックブロック組付け時には、滑車枠側板２ａ、２ｂ間に滑車３およびフック４を軸支した後、同側板２ａ、２ｂ間にワイヤーロープ外れ止め部材６ａ〜６ｃ取り付け用の３本のボルト部材６１，６１，６１を挿通し、その後、それとは全く別に４本のカバー部材７取り付け用ボルト８ａ，８ｂ、８ｃ，８ｄを用いてカバー部材７を取り付ける必要があり、合計７本のボルト締結作業が必要となる。
【００２１】
また、同フックブロック１の組付け完了状態において、その後、新たに索端の付いたワイヤーロープ５を巻き掛けようとするときや、同一旦巻き掛けられたワイヤーロープ５の索端を外すことなくワイヤーロープ５の掛け替え（掛け数の変更）を行なおうとするときは、上記ワイヤーロープ外れ止め部材取り付け手段としてのボルト部材３本に加えて、カバー部材取付用ボルト４本の合計７本のボルト部材の結合状態を外し、その後、それらを元の状態に締結しなければならず、極めて作業工数が多く、煩雑である問題がある。
【００２２】
しかも、上記カバー部材７の取り付けは、上述のようにカバー部材７のフランジ部７３ａ、７３ｂ内側からの回動作業となるので、その作業は余計に煩雑である。
【００２３】
この出願の発明は、このような課題を解決するためになされたもので、上記滑車枠側板間における滑車部のワイヤーロープ巻き掛け部周囲に位置して設けられるワイヤーロープ外れ止め部材を取り付けるワイヤーロープ外れ止め部材取り付け手段の一部を利用してカバー部材を取り付けることにより、カバー部材取付用の専用ボルトの必要本数を減らすか、または不要としたクレーン等作業機のフックブロックを提供することを目的とするものである。
【課題を解決するための手段】
【００２４】
この出願の発明は、上述の課題を解決するために、それぞれ次のような課題解決手段を備えて構成されている。
（１）請求項１の発明の課題解決手段
まず請求項1の発明の課題解決手段では、例えば滑車枠側板の間に滑車およびフックを軸支するとともに、該滑車枠側板の間に軸支された滑車のワイヤーロープ巻き掛け部周囲に位置して複数のワイヤーロープ外れ止め部材を設ける一方、上記滑車枠側板間の正面側先端部分に上記滑車枠側板間の開放空間を閉じるカバー部材を設けてなるクレーン等作業機のフックブロックにおいて、上記滑車枠側板間正面側の開放空間を閉じるカバー部材を、上記滑車枠側板間に位置して上記ワイヤーロープ外れ止め部材を取り付けるワイヤーロープ取付手段の一部を利用して取り付けるようにしたことを特徴としている。
【００２５】
このような課題解決手段によると、上述した滑車枠側板間に位置してワイヤーロープ外れ止め部材を取り付けるワイヤーロープ外れ止め部材取付手段を、従来のようなワイヤーロープ外れ止め部材取り付け専用のものではなく、例えば継ぎ足しジブを有するクレーン等の作業機において、当該継ぎ足しジブ格納時におけるフックブロックの滑車枠側板とジブ脚部との干渉による引っ掛かりや挟まりを回避するカバー部材取付手段としても兼用することができるようになる。
【００２６】
その結果、前述した従来のカバー部材取り付け専用ボルトの必要本数を減らすか、または同取り付け専用ボルトそのものを不要とすることができるようになり、部品点数が減少する。また、それと同時に、滑車枠側板へのボルト螺合孔の形成などの加工箇所、加工工数も少なくて済むようになり、製品コストの低減につながる。
【００２７】
また、上記カバー部材の取り付けが、滑車枠側板間に亘る比較的大きな取り付け手段によりなされるようになることから、従来のカバー部材取り付け専用ボルトのような、小さくて短いボルト部材による取り付けの場合に比べて、より安定した取り付けが可能となり、カバー部材の支持剛性が向上すると共に、取り外し作業時におけるボルトの紛失なども生じにくくなる。
【００２８】
また、ワイヤーロープ外れ止め部材を滑車枠側板間に取り付けると同時にカバー部材をも取り付けることができ、逆にワイヤーロープ外れ止め部材を滑車枠側板間から取り外すと同時にカバー部材をも取り外すことができるようになり、製造時におけるカバー部材自体の取り付けはもちろん、その後の新たなワイヤーロープの巻き掛け時やワイヤーロープの掛け替え時などにおけるカバー部材の取り外し、取り付けに際して着脱するボルト等の本数が少なくなるから、それら各作業における作業工数が減少し、作業効率が向上する。
（２）請求項２の発明の課題解決手段
次に、請求項２の発明の課題解決手段では、上述のように、滑車枠側板の間に滑車およびフックを軸支するとともに、該滑車枠側板の間に軸支された滑車のワイヤーロープ巻き掛け部周囲に位置して複数のワイヤーロープ外れ止め部材を設ける一方、上記滑車枠側板間の正面側先端部分に上記滑車枠側板間の開放空間を閉じるカバー部材を設けてなるクレーン等作業機のフックブロックにおいて、上記滑車枠側板間正面側の開放空間を閉じるカバー部材を、上記滑車枠側板間に位置して上記ワイヤーロープ外れ止め部材を取り付けるワイヤーロープ外れ止め部材取付手段の一部を利用して取り付けるようにした場合において、上記ワイヤーロープ外れ止め部材が、例えば滑車枠側板間に支持されるパイプ構造のスペーサ部材と、該パイプ構造のスペーサ部材を挿通支持するボルト部材よりなり、同パイプ構造のスペーサ部材を挿通支持するボルト部材がワイヤーロープ外れ止め部材の取り付け手段として機能するようになっているとともに、上記カバー部材の取り付けに利用されるボルト部材によって挿通支持されるスペーサ部材は、上記カバー部材側に固定されていることを特徴としている。
【００２９】
このような課題解決手段によると、上述した請求項１の発明の課題解決手段の作用効果に加えて、さらに次のような作用効果を得ることができる。
【００３０】
すなわち、同手段では、カバー部材の取り付けが、滑車枠側板間に亘る比較的長いボルト部材によりなされるようになることから、従来のような、小さくて短いボルト部材による場合に比べて、より安定した取り付けが可能となり、カバー部材の支持剛性が向上すると共に、作業時におけるボルトの紛失なども生じにくくなる。
【００３１】
また、同手段の場合、上記ワイヤーロープ外れ止め部材取り付け用のボルト部材は、それぞれ滑車枠側板間に位置してスペーサ部材を挿通支持するが、上記カバー部材の取り付けに兼用されるワイヤーロープ外れ止め部材におけるスペーサ部材は、特にカバー部材側に固定して設けられている。
【００３２】
このような構成によると、カバー部材がスペーサー部材を介して確実に滑車枠側板間に取り付けられるようになるとともに、本来独立した２つの部品であったカバー部材とワイヤーロープ外れ止め部材用のスペーサ部材が相互に一体化されたユニット構造のものとなるので、その取り外し、取り付け作業がより容易になる。
【発明の効果】
【００３３】
以上の結果、この出願の発明によると、例えば継ぎ足しジブを備えたクレーンのフックブロック等、滑車枠側板間の正面側に継ぎ足しジブ基端側脚部等との干渉を回避するカバー部材を備えた作業機のフックブロックにおけるカバー部材取り付け専用部品が減少または不要となり、カバー部材の取り外し、取り付け作業を容易にすることができ、それらの作業を前提とするワイヤーロープの巻き掛け、掛け替え作業が容易になり、その作業効率も向上する。
【図面の簡単な説明】
【００３４】
【図１】図１は、本願発明の実施の形態1に係るクレーン等作業機のフックブロックの全体的な構成を示す正面側右斜め方向から見た斜視図である。
【図２】図２は、同実施の形態1に係るクレーン等作業機のフックブロックの全体的な構成を滑車枠側板の一部を切り欠いて示す側面図である。
【図３】図３は、同実施の形態1に係るクレーン等作業機のフックブロックの全体的な構成を前後方向中央で上方から下方に切断して示す断面図である。
【図４】図４は、同実施の形態1に係るクレーン等作業機のフックブロックにおけるカバー部材の構成を示す側面図である。
【図５】図５は、同実施の形態1に係るクレーン等作業機のフックブロックにおけるカバー部材の構成を示す背面図である。
【図６】図６は、本願発明の実施の形態２に係るクレーン等作業機のフックブロックの全体的な構成を示す正面側右斜め方向から見た斜視図である。
【図７】図７は、同実施の形態２に係るクレーン等作業機のフックブロックの全体的な構成を滑車枠側板の一部を切り欠いて示す側面図である。
【図８】図８は、同実施の形態２に係るクレーン等作業機のフックブロックにおけるカバー部材の構成を示す側面図である。
【図９】図９は、カバー部材を備えた従来のクレーン等作業機のフックブロックの全体的な構成を示す正面側右斜め方向から見た斜視図である。
【図１０】図１０は、同従来のクレーン等作業機のフックブロックの全体的な構成を滑車枠側板の一部を切り欠いて示す側面図である。
【図１１】図１１は、同従来のクレーン等作業機のフックブロックにおけるカバー部材の構成を示す背面側右斜め方向から見た斜視図である。
【発明を実施するための形態】
【００３５】
以下、本願発明の幾つかの実施の形態の構成および作用について、添付の図面を参照して、詳細に説明する。
＜実施の形態１＞
まず図１〜図５は、本願発明の実施の形態１に係るクレーン等作業機のフックブロックの構成を示している。
【００３６】
図１〜図３は同フックブロックの全体的な構成を、また図４および図５は同フックブロックの要部であるカバー部材の構成を、それぞれ示している。
【００３７】
図１〜図３中、符号１がフックブロックであり、該フックブロック１は、滑車枠２と、該滑車枠２の上部部分に支持された滑車３と、当該滑車枠２の下部部分に支持されたフック４とからなっている。滑車枠２は、側面から見た場合に、上部側３辺が略同等の長さである一方、下部側３辺の内、左右の２辺が上記上部側３辺よりも長く、下辺が特に短かく形成された六角形状の左右一対の側板２ａ，２ｂよりなり、それら側板２ａ，２ｂ間の上部側最大幅部分に滑車３の回転軸３１を連結し、該回転軸３１を介して側板２ａ、２ｂ間に複数のシーブ３２ａ〜３２ｄを回転可能に並設支持している一方、それら側板２ａ、２ｂ間の下端側にフック取り付け軸４１ａを有するベアリング４１を介してフック４が前後および水平方向に回転可能な状態で取り付けられている。
【００３８】
側板２ａ、２ｂは、上述のように、側面から見た場合に、上部側の左右２辺が短かく、下部側の左右２辺が長い縦長の六角形状をなしているが、それら上部側２辺と下部側２辺との間の角部は上下方向に所定長さカットされて扁平面２１ａ、２１ｂに形成されている。
【００３９】
一方、上記滑車３の複数のシーブ３２ａ〜３２ｄの所定のもの（図1の例では、シーブ３２ａと３２ｄ）には、図示のようにワイヤーロープ５が巻き掛けられているとともに、それら各シーブ３２ａ〜３２ｄの外周側所定位置には、張力が低下したときにも、それら各シーブ３２ａ〜３２ｄのロープ溝部分からワイヤーロープ５が外れないようにガイドするための例えば３本のワイヤーロープ外れ止め部材６ａ〜６ｃが設けられている。
【００４０】
これら３本のワイヤーロープ外れ止め部材６ａ〜６ｃは、例えば図３に示されるように、それぞれ一方の側板２ａ側に設けられた螺合孔２１ｃ部分から他方の側板２ｂ側に設けられた孔２１ｄ部分に挿通されて、その軸体部６１ａ部分を側板２ａ、２ｂ間に係止されるボルト部材６１と、該ボルト部材６１の軸体部６１ａ外周に遊嵌状態で嵌合されて上記ボルト部材６１の挿通状態では上記側板２ａ，２ｂ間に回転可能に支持されるパイプ構造のスペーサ部材６２とからなり、上記ボルト部材６１の軸体部６１ａを支軸として回転可能な上記スペーサ部材６２部分で上記ワイヤーロープ５の巻き掛け部を外れないようにガイドしている。
【００４１】
このため、上記３本のワイヤーロープ外れ止め部材６ａ〜６ｃは、少なくとも上記滑車３の各シーブ３２ａ〜３２ｄのワイヤーロープ巻き掛け部に対応して、その前部と後部および下部の３ヶ所に位置し、それぞれそのスペーサ部材６２、６２、６２部分が、上記ワイヤーロープ５の外れを防止するのに必要な間隔（距離）を維持して各シーブ３２ａ〜３２ｄの外周面に近接する形で設けられている（図２参照）。
【００４２】
上記ボルト部材６１は、上記軸体部６１ａのボルト頭部６１ｂ側に螺合溝６１ｃを有し、該螺合溝６１ｃ部分を上記一方側の側板２ａの螺合孔２１ｃ部分に螺合することによって締結力を得るようになっているとともに、上記軸体部６１ａの先端部分６１ｄを他方側の側板２ｂの孔２１ｄ部分に挿入することによって軸直交方向の係止力を得るようになっている。
【００４３】
そして、上記３本のワイヤーロープ外れ止め部材６ａ〜６ｃは、上記ボルト部材６１の側板２ａ，２ｂ間における係合状態（側板２ａの螺合孔２１ｃへの螺合および側板２ｂの孔２１ｄへの挿入）を解除し、側板２ａ、２ｂ間から抜き取ると、上記スペーサ部材６２も取り外すことができ、同状態では各シーブ３２ａ〜３２ｄの半径方向外周に広いスペースを形成することができるので、後述するように、索端を付けたままでのワイヤーロープ５の巻き掛けや、すでに巻いているワイヤーロープ５の掛け替え（ワイヤーロープ掛け数の変更）などが可能となる。
【００４４】
ところで、本実施の形態におけるクレーンの中には、すでに特許文献２について述べたように、上記のような構成のフックブロックを備えたブームの先端に、さらに継ぎ足しジブを設ける場合がある。
【００４５】
このようなクレーンにおいては、すでに述ベたように、滑車３にワイヤーロープ５が巻き掛けられた場合、フックブロック１は水平方向右側に少し傾くことになり、継ぎ足しジブ格納時において、継ぎ足しジブ基端側のＵ状の脚部がフックブロック１の外側をスムーズに通過することが難しくなり、前述のような滑車枠側板２ａ、２ｂの継ぎ足しジブ脚部との係合や継ぎ足しジブ脚部とテンションロッドとの間の隙間への挟まりを生じる問題がある。
【００４６】
そこで、本実施形態では、例えば図１〜図３に示すように、同滑車枠２の側板２ａ、２ｂの先端部分を扁平面２１ａ、２１ｂに形成するとともに、それら側板２ａ，２ｂ間の正面側先端部に当該滑車枠２の側板２ａ，２ｂ間の開放面を閉じるカバー部材７を設けて、上述した継ぎ足しジブ基端側の脚部や同脚部とテンションロッドとの隙間に干渉しないようにガイドする構成が採用されている。
【００４７】
しかも、本実施の形態では、同カバー部材７を取り付けるに際して、その上端側７ａを、上記滑車枠２の側板２ａ、２ｂ間に支持され、上記滑車３のワイヤーロープ５巻き掛け部の周囲の、例えば前部、後部、下部の３ヶ所に位置して設けられている３本のワイヤーロープ外れ止め部材６ａ〜６ｃの一部６ａを利用（兼用）して取り付けるようにしており、それによってカバー部材７の取り付けに必要な専用ボルトの本数を下端７ｂ側左右の２本のみで足りるように構成している。
【００４８】
すなわち、本実施の形態では、例えば図１および図２に示すように、カバー部材７の上端７ａ側が、前述の従来例のものよりも長く上方に延設されるとともに、同延設端の裏面側（内側）に、上記滑車２前部側のワイヤーロープ外れ止め部材６ａ用のスペーサ部材６２を溶接一体化しており、該スペーサ部材６２を介してボルト部材６１により滑車枠２の側板２ａ、２ｂ間に支持するようになっている。
【００４９】
そして、そのカバー部材７の下端７ｂには、その左右両端側に位置して、例えば図4および図5に示すような、前述した従来例のものに比べて十分に小さいカバー部材取付用のフランジ７１ａ、７１ｂを有し、同取付用フランジ７１ａ、７１ｂ部分に設けたボルト挿通孔７２、７２を介して専用の取り付けボルト８０ａ、８０ｂにより側板２ａ、２ｂの螺合孔２２、２２に対して螺合することにより取り付けられるようになっている。
【００５０】
したがって、本実施の形態の構成では、少なくともカバー部材７の上端７ａ側における取付用の専用ボルト２本は不要となり、その分専用ボルトの本数を減らすことができる。
【００５１】
また、その分、滑車枠２の側板２ａ、２ｂ部分のボルト螺合孔の形成などの加工箇所、加工工数も少なくて済み、製品コストの低減につながる。
【００５２】
また、カバー部材７の取り付けが、太くて、しかも滑車枠側板２ａ、２ｂ間に亘る比較的長いボルト部材によりなされるようになることから、従来のような小さくて短いボルト部材による場合に比べて、より安定した取り付けが可能となり、支持剛性が向上すると共に、作業時におけるボルトの紛失なども生じにくくなる。
【００５３】
また、ワイヤーロープ外れ止め用のボルト部材６１を滑車枠側板２ａ，２ｂ間に挿通支持すると同時にカバー部材７をも取り付けることができ、逆にワイヤーロープ外れ止め用のボルト部材６１を滑車枠側板２ａ、２ｂ間から取り外すと同時にカバー部材７をも取り外すことができるようになり、製造時におけるカバー部材７自体の取り付けや、その後の新たなワイヤーロープの巻き掛け、ワイヤーロープの掛け替え時（ワイヤーロープ掛け数の変更時）におけるカバー部材７の取り外し、取り付けに際して着脱するボルトの本数が少なくなるから、それら各作業における作業工数が減少し、作業効率が向上する。
【００５４】
また、この実施の形態の場合、ワイヤーロープ外れ止め部材６ａ〜６ｃは、それぞれ滑車枠２の側板２ａ、２ｂ間にパイプ構造のスペーサ部材６２を外装して支持されているが、カバー部材７の取り付けに兼用されるワイヤーロープ外れ止め部材６ａのスペーサ部材６２は，特にカバー部材７の上端７ａ部分に溶接一体化して設けられている。
【００５５】
このような構成によると、カバー部材７がスペーサー部材を介して確実に滑車枠側板２ａ，２ｂ間に取り付けられるようになるとともに、本来独立した２つの部品であったカバー部材７とワイヤーロープ外れ止め部材６ａ用のスペーサ部材６２が相互に一体化されたユニット構造のものとなるので、その取り外し、取り付け作業がより容易になる。
＜実施の形態２＞
次に、図６〜図８は、本願発明の実施の形態２に係るクレーン等のフックブロックの構成を示している。
【００５６】
図6および図7は同フックブロックの全体的な構成を、また図8は同フックブロックの要部であるカバー部材部分の構成を示している。
【００５７】
本実施の形態では、上述の実施の形態１の構成に加えて、さらにカバー部材７の下端７ｂ側をも、ワイヤーロープ外れ止め部材６ｂを利用して取り付けるようにし、結局上下両端共にワイヤーロープ外れ止め部材を利用して取り付けることにより、従来のようなカバー部材取り付け専用のボルトを不要にしたことを特徴とするものである。
【００５８】
すなわち、本実施の形態の構成では、例えば図６〜図８に示すように、上記実施の形態１の構成におけるカバー部材７の下端７ｂ側をフランジ部等を形成することなく、さらに後方側各シーブ３２ａ〜３２ｄ下方のワイヤーロープ外れ止め部材６ｂ部分に向けて「くの字」状に折り曲げた上で延設し、同延設された延設下端７ｂの上面側（内側）に、上述した上端７ａ側と同様にワイヤーロープ外れ止め部材６ｂ用のスペーサ部材６２を溶接一体化して構成されている。
【００５９】
この結果、同構成によれば、当該カバー部材７は、その上下両端７ａ，７ｂともにワイヤーロープ外れ止め部材６ａ、６ｂ（それらのボルト部材６１、６１）を利用して取り付けることができるようになり、前述した従来例におけるカバー部材取り付け専用ボルトそのものを不要とすることができ、部品点数が大きく減少する。
【００６０】
また、それと同時に、カバー部材７左右両端側の取付用フランジの形成や、滑車枠側板２ａ、２ｂ部分へのボルト螺合孔の形成などの加工箇所、加工工数も、より少なくなり、一層の製品コストの低減につながる。
【００６１】
また、カバー部材７の取り付けが、太くて、しかも滑車枠側板２ａ、２ｂ間に亘る比較的長いボルト部材６１、６１・・によりなされるようになるから、従来のような小さくて短い専用の取り付けボルトを使用する場合に比べて、より安定した取り付けが可能となり、支持剛性が向上するとともに、取り外し、取り付け作業時におけるボルトの紛失なども生じにくくなる。
【００６２】
また、ワイヤーロープ外れ止め用のボルト部材６１、６１を滑車枠側板２ａ、２ｂ間に挿通支持すると同時にカバー部材７をも取り付けることができ、逆にワイヤーロープ外れ止め用のボルト部材６１、６１を滑車枠側板２ａ、２ｂ間から取り外すと同時にカバー部材７をも取り外すことができるようになり、フックブロック製造時におけるカバー部材７自体の取り付けはもちろん、その後の索端を付けた状態でのワイヤーロープ５の巻き掛け時や同状態でのワイヤーロープ５の掛け替え時（ワイヤーロープ掛け数変更時）におけるカバー部材７の取り外し、取り付けに際して、着脱するボルトの本数が大きく減少するから（７本から３本に）、それら各作業における作業工数も大きく減少し、作業効率が大きく向上する。
【００６３】
さらに、同構成の場合、カバー部材７の下端７ｂ側が、滑車枠側板２ａ、２ｂ間の正面側開放面から滑車２の各シーブ３２ａ〜３２ｄ下方側までに亘って設けられているので、シーブ３２ａ〜３２ｄに対するワイヤーロープ巻き掛け部の正面側前部が大きくカバーされることになり、作業時の安全性も向上する。また、シーブ３２ａ〜３２ｄへの異物の侵入も避けられる。
【符号の説明】
【００６４】
１はフックブロック、２は滑車枠、２ａ、２ｂは側板、３は滑車、４はフック、５ａ、５ｂはワイヤーロープ、６ａ、６ｂ、６ｃはワイヤーロープ外れ止め部材、７はカバー部材、７ａはカバー部材７の上端、７ｂはカバー部材７の下端、３２ａ、３２ｂ，３２ｃ、３２ｄはシーブ、４１はベアリング、４１ａはフック取り付け軸、６１はボルト部材、６１ａはボルト部材６１の軸体、６１ｂはボルト部材６１の頭部、６１ｃはボルト部材６１の螺合溝、６１ｄはボルト部材６１の軸体先端、６２はスペーサ部材、７１ａ、７１ｂはカバー部材７の取付用フランジ、８０ａ、８０ｂはカバー部材７下端側の取り付けボルトである。
【図１】
2014189402.tif 000003
【図２】
2014189402.tif 000004
【図３】
2014189402.tif 000005
【図４】
2014189402.tif 000006
【図５】
2014189402.tif 000007
【図６】
2014189402.tif 000008
【図７】
2014189402.tif 000009
【図８】
2014189402.tif 000010
【図９】
2014189402.tif 000011
【図１０】
2014189402.tif 000012
【図１１】
2014189402.tif 000013